(57)【要約】【課題】遠隔制御装置に初期設定のデータを入力する設定手段を必要としない上に、ユーザーの利便性の向上を図った遠隔制御システムを提供することにある。【解決手段】電話回線２に回線インターフェース部３と並列接続される電話機を使用し、該電話機から上記電話回線２に対応する電話番号に発呼により設定される話中状態下で、上記電話機のプッシュボタンの操作によって該電話機から電話回線２上に送出されるＤＴＭＦ信号を設定データの信号として上記回線インターフェース部を介して遠隔制御装置１に取り込ませる。【選択図】        図１
2004266679.tif 000002
【特許請求の範囲】
【請求項１】
電話回線を通じて外部との通信を行うための回線インターフェース部と、周囲の事象を検知する検知部と、宅内に設置されている機器へ制御信号を送信する制御信号送信部と、外部との通信により外部から機器の制御情報を受け取って制御信号送信部から制御信号を送信させる機能、検知部の検知内容に基づいて検知情報を外部へ回線インターフェース部を介して送らせる機能を有する制御部とを備えている遠隔制御装置を設けるとともに、遠隔制御装置とは別体の機器で構成され、遠隔制御装置の動作に必要な初期設定のデータを作る設定手段を用いて成ることを特徴とする遠隔制御システム。
【請求項２】
遠隔制御装置の制御部には、電話回線を通じて外部から送られてくる制御情報に基づいて宅内に設けた機器の制御や状態確認を行う遠隔監視制御機能と、上記検知部の検知内容の判断を行い、上記回線インターフェース部を通じて予め設定された連絡先へ上記検知内容を通報する連絡通報機能とを備えている特徴とする請求項１記載の遠隔制御システム。
【請求項３】
初期設定における設定項目が、外部からの通信を受信したときに遠隔制御装置を始動させることを判断させる暗証番号、上記検知部の検知内容を回線インターフェース部から通報を行う際の連絡先であることを特徴とする請求項１記載の遠隔制御システム。
【請求項４】
上記設定手段として、上記電話回線に回線インターフェース部と並列接続される電話機を使用し、該電話機から上記電話回線に対応する電話番号に発呼により設定される話中状態下で、上記電話機の操作釦の操作によって該電話機から電話回線上に送出されるＤＴＭＦ信号を設定データの信号として上記回線インターフェース部を介して上記遠隔制御装置に取り込ませることを特徴とする請求項１記載の遠隔制御システム。
【請求項５】
上記設定手段として、上記電話回線に対応する電話番号とは別の電話番号の電話機を使用し、該電話機から上記電話回線に対応する電話番号に発呼することで当該電話機と上記電話回線を介して回線インターフェス部との間で通話路を確立させた後、上記電話機の操作釦の操作によって該電話機から通話路上に送出されるＤＴＭＦ信号を設定データの信号として上記通話路と上記回線インターフェース部を介して上記遠隔制御装置に取り込ませることを特徴とする請求項１記載の遠隔制御システム。
【請求項６】
上記遠隔制御装置が所定の入力を検出すると上記設定手段による初期設定を行う動作モードに動作モードを移行させることを特徴とする請求項１乃至５の何れか記載の遠隔制御システム。
【請求項７】
上記所定の入力とは、遠隔制御装置に搭載された特定のスイッチの入力操作若しくは、上記電話回線の話中音の検出、若しくはその両方であることを特徴とする請求項６記載の遠隔制御システム。
【請求項８】
上記所定の入力とは、外部より電話回線を通じて、上記遠隔制御装置に予め記憶された識別番号と同じ番号を示すＤＴＭＦ信号が取り込まれることを特徴とする請求項６記載の遠隔制御システム。
【請求項９】
初期設定の動作モードでの設定データの入力が所定時間経過しても無ければ通常の動作モードに動作モードを移行させることを特徴とする請求項６記載の遠隔制御システム。
【請求項１０】
ネットワークに接続される通信部を上記遠隔監視制御装置に備え、上記設定手段として上記ネットワークに接続され、ブラウザ上に表示する初期設定用のＷｅｂページを通じて設定データを入力する端末装置を用い、上記Ｗｅｂページで入力された設定データを上記遠隔制御装置へ上記ネットワークと上記通信部とを介して転送することを特徴とする請求項１記載の遠隔制御システム。
【請求項１１】
上記遠隔制御装置にシリアル通信部を搭載し、上記設定手段として、シリアル通信部に接続され、該シリアル通信部を介して上記遠隔制御装置へ設定データを送る端末装置を用いることを特徴とする請求項１記載の遠隔制御システム。
【請求項１２】
記憶媒体に書き込まれたデータを読み取る記憶媒体入力部を上記遠隔制御装置に搭載し、上記設定手段として、上記記憶媒体入力部に対応する記憶媒体及び該記憶媒体に設定データを書き込む端末装置を用い、前記記憶媒体に書き込んだ設定データを上記記憶媒体入力部から上記遠隔制御装置に取り込ませることを特徴とする請求項１記載の遠隔制御システム。
【発明の詳細な説明】
【０００１】
【発明の属する技術分野】
本発明は、電話回線を利用した家電機器等の機器の遠隔制御と、宅内の状況を検出してその検出内容を外部に連絡通報する遠隔制御システムに関するものである。
【０００２】
【従来の技術】
昨今、社会情勢においても高齢者の一人暮らしの割合も増え、家族と離れて暮らす高齢者も安心して生活できるような高齢者に対応したセキュリティシステムが多く出回っている。
【０００３】
そして大抵の場合、異常を検出する検出手段が搭載され、その検出内容に応じて、連絡先に通報するというものであり、例えば、ガス漏れ又は防犯などの各種センサ並びに非常や来客用の押し釦などから信号が出力されると、その信号をデータに変換して電話回線を介して外部機関に送るシステムが提供されている（特許文献１）。
【０００４】
このシステムでは連絡先となる外部機関には、予め消防署、ホームヘルパー、福祉施設などの機関があり、これらの機関の電話番号は予め通報に用いる転送電話機のキー入力部から入力して登録するようになっている。
【０００５】
一方外出先から宅内の機器を制御するといった遠隔制御システムも多く提供されているが、これら遠隔制御システムに用いられる、手段、方法、対象機器は様々である。そしてこのような遠隔制御システムで、最も心配されることは、誰もが制御できては困るということである。そこで、大抵の場合は、暗証番号の入力により、操作者が許可されるユーザーであることを判断している。
【０００６】
例えば、外出先から留守番機能を操作するという機能を備えた留守番機能付き電話機が提供されているが、この場合外出先から自宅の当該電話機が接続されている加入者回線の電話番号にダイヤル発呼すると、当該電話機が着信応答してオフフックし、発呼側へ「ただいま留守にしています」とメッセージの送信を行う。
【０００７】
外出先のユーザーは、使用している電話機のプッシュ釦を利用して暗証番号を押すと、ＤＴＭＦ信号（以下ＰＢ信号という）よる暗証番号データを自宅側の電話機へ送信する。そして自宅側の電話機では、送られきた暗証番号が予め登録されている暗証番号と一致した場合に、応答メッセージを発呼側の電話機へ送り、以後外出先から留守番電話の内容を聞いたり、留守番電話のセットを行ったり、伝言を行う操作ができるものである。尚使用される暗証番号は、自宅側の電話機のキー入力部（スイッチ）を使用して当該電話機に予め登録できるようになっている。
【０００８】
【特許文献１】
特開平８−１６１６７９号公報
【０００９】
【発明が解決しようとする課題】
前述したように従来、外部への連絡先や、遠隔制御時の暗証番号の設定は、主要装置に搭載されたキー入力部（スイッチ）により設定されるものであった。そうなると操作上、キー入力部のスイッチの数を増やすことになり、その結果主要装置が大きくなったり、コストアップになってしまうという問題があった。
【００１０】
更に、遠隔制御装置に検知部を搭載し、ユーザーが留守中の宅内で検知部が検知動作してその検知内容に応じて、外出先のユーザーへ連絡する場合に、連絡先を設定する必要があるが、遠隔制御装置を小型化するために、初期設定のデータを入力するためのスイッチの数を削減したり、同じスイッチに複数の設定機能を持たせていると、設定がしづらく、また設定誤りが起こりやすいという問題があった。
【００１１】
特に、外部への連絡先を誤って記憶させた場合には、所望の用途を果たすことができない。また、設定したはずの暗証番号が誤っていた場合も同様である。
【００１２】
本発明は、上述の点に鑑みて為された者で、その目的とするところは、遠隔制御装置自体に初期設定のデータを入力する設定手段を設ける必要がない上に、ユーザーの利便性の向上が図れる遠隔制御システムを提供することにある。
【００１３】
【課題を解決するための手段】
上述の目的を達成するために、請求項１の発明では、電話回線を通じて外部との通信を行うための回線インターフェース部と、周囲の事象を検知する検知部と、宅内に設置されている機器へ制御信号を送信する制御信号送信部と、外部との通信により外部から機器の制御情報を受け取って制御信号送信部から制御信号を送信させる機能、検知部の検知内容に基づいて検知情報を外部へ回線インターフェース部を介して送らせる機能を有する制御部とを備えている遠隔制御装置を設けるとともに、遠隔制御装置とは別体の機器で構成され、遠隔制御装置の動作に必要な初期設定のデータを作る設定手段を用いて成ることを特徴とする。
【００１４】
請求項２の発明では、請求項１の発明において、遠隔制御装置の制御部には、電話回線を通じて外部から送られてくる制御情報に基づいて宅内に設けた機器の制御や状態確認を行う遠隔監視制御機能と、上記検知部の検知内容の判断を行い、上記回線インターフェース部を通じて予め設定された連絡先へ上記検知内容を通報する連絡通報機能とを備えている特徴とする。
【００１５】
請求項３の発明では、請求項１の発明において、初期設定における設定項目が、外部からの通信を受信したときに遠隔制御装置を始動させることを判断させる暗証番号、上記検知部の検知内容を回線インターフェース部から通報を行う際の連絡先であることを特徴とする。
【００１６】
請求項４の発明では、請求項１の発明において、上記設定手段として、上記電話回線に回線インターフェース部と並列接続される電話機を使用し、該電話機から上記電話回線に対応する電話番号に発呼により設定される話中状態下で、上記電話機の操作釦の操作によって該電話機から電話回線上に送出されるＤＴＭＦ信号を設定データの信号として上記回線インターフェース部を介して上記遠隔制御装置に取り込ませることを特徴とする。
【００１７】
請求項５の発明では、請求項１の発明において、上記設定手段として、上記電話回線に対応する電話番号とは別の電話番号の電話機を使用し、該電話機から上記電話回線に対応する電話番号に発呼することで当該電話機と上記電話回線を介して回線インターフェス部との間で通話路を確立させた後、上記電話機の操作釦の操作によって該電話機から通話路上に送出されるＤＴＭＦ信号を設定データの信号として上記通話路と上記回線インターフェース部を介して上記遠隔制御装置に取り込ませることを特徴とする。
【００１８】
請求項６の発明では、請求項１乃至５の発明において、上記遠隔制御装置が所定の入力を検出すると上記設定手段による初期設定を行う動作モードに動作モードを移行させることを特徴とする。
【００１９】
請求項７の発明では、請求項６の発明において、上記所定の入力とは、遠隔制御装置に搭載された特定のスイッチの入力操作若しくは、上記電話回線の話中音の検出、若しくはその両方であることを特徴とする。
【００２０】
請求項８の発明では、請求項６の発明において、上記所定の入力とは、外部より電話回線を通じて、上記遠隔制御装置に予め記憶された識別番号と同じ番号を示すＤＴＭＦ信号が取り込まれることを特徴とする。
【００２１】
請求項９の発明では、請求項６の発明において、初期設定の動作モードでの設定データの入力が所定時間経過しても無ければ通常の動作モードに動作モードを移行させることを特徴とする。
【００２２】
請求項１０の発明では、請求項１の発明は、ネットワークに接続される通信部を上記遠隔監視制御装置に備え、上記設定手段として上記ネットワークに接続され、ブラウザ上に表示する初期設定用のＷｅｂページを通じて設定データを入力する端末装置を用い、上記Ｗｅｂページで入力された設定データを上記遠隔制御装置へ上記ネットワークと上記通信部とを介して転送することを特徴とする。
【００２３】
請求項１１の発明では、請求項１の発明において、上記遠隔制御装置にシリアル通信部を搭載し、上記設定手段として、シリアル通信部に接続され、該シリアル通信部を介して上記遠隔制御装置へ設定データを送る端末装置を用いることを特徴とする。
【００２４】
請求項１２の発明では、請求項１の発明において、記憶媒体に書き込まれたデータを読み取る記憶媒体入力部を上記遠隔制御装置に搭載し、上記設定手段として、上記記憶媒体入力部に対応する記憶媒体及び該記憶媒体に設定データを書き込む端末装置を用い、前記記憶媒体に書き込んだ設定データを上記記憶媒体入力部から上記遠隔制御装置に取り込ませることを特徴とする。
【００２５】
【発明の実施の形態】
以下本発明を実施形態により説明する。
【００２６】
（実施形態１）
本実施形態の遠隔制御装置１の構成を図１に示す。本実施形態の遠隔制御装置１は図示するように、公衆電話回線網に接続されたＬ１、Ｌ２の２線からなる電話回線２に接続され、リング検出回路、極性反転回路等からなる回線受信部３ａと、回線電流を検出する手段や、ＤＴ（ダイヤルトーン）、ＲＢＴ（リングバックトーン）、ＢＴ（ビジートーン）を検出し、予め設定された連絡先へダイヤル発呼を行い、電話回線２へデータ（音声合成信号など）を送信する機能を備えた回線送信部３ｂと、着信時及び発呼時に電話回線２をオフフック状態として遠隔制御装置１を接続する手段と、電話回線２と遠隔制御装置１との間の結合部を有する回線インターフェース部３を備えている。
【００２７】
一方遠隔制御装置１内には電話回線２を通じて送信されてくるＰＢ信号（トーン信号）列を回線受信部３ａを介して取り込んで解析し、コードに変換し、また電話回線２へ回線送信部３ｂを介してデータを送信する際に送信先の電話番号に対応するＰＢ信号を生成するＤＴＭＦエンコーダ／ＤＴＭＦデコーダ等から構成された音声周波数解析／信号生成部１０と、電話回線２へ音声合成音を出力するための音声合成データや、遠隔制御装置１に搭載のスピーカＳＰへあるタイミングで音声を出力させるための音声合成データを生成する音声合成ＩＣなどから構成された音声合成出力部１１と、例えばＥＥＰＲＯＭから構成され、初期設定で設定した登録内容（暗証番号、連絡先の電話番号）を記憶し、また後述する人感センサからなる検知部１２で検知した内容を蓄積し、更に、連絡先へダイヤル発呼した時間、その発呼回数、また遠隔制御のコード（ＰＢ信号列）を受信した場合にはその内容、受信した時間を記憶する記憶部１３と、受信した遠隔制御用のデータ（ＰＢ信号列）から音声周波数解析／信号生成部１０により解析・変換されたコードに基づいて後述する制御部１４が生成する宅内機器４を制御する制御信号を、電波からなる無線信号で送信する制御信号送信部１５と、タクトスイッチ、スライドスイッチなどのスイッチ群にて構成され、遠隔制御装置１側から宅内機器４を直接制御したり、ＤＰ（ダイヤルパルス）信号／ＰＢ（プッシュ釦）信号の出力選択操作、動作モードの移行トリガ、リセットなどの操作機能を搭載している操作部１６と、ＬＥＤなどから構成され、現在の動作モードがどのような状態であるか、後述する検知部１２の検知信号の入力状態を表示する表示部１７と、焦電センサなどの人感センサからなり、装置周囲の人を検知する検知部１２と、マイクロコンピュータから構成され上記の各部の制御と信号処理を行う制御部１４とで構成された。尚図中ＤＣは遠隔制御装置１に外部から供給する直流電源を示し、遠隔制御装置１で使用するＩＣ等によって例えばＤＣ５Ｖ或いは３．３Ｖの直流を遠隔制御装置１に供給するようになっている。
【００２８】
ここで回線インターフェース部３には宅内の電話機を電話回線２に本装置１の有無に関係なく接続して使用することができる接続部を備えており、図中Ｔ１、Ｔ２は宅内の電話機への回線を示す。
【００２９】
次に本発明の実施形態の動作を説明する。
【００３０】
まず遠隔制御装置１の遠隔制御について説明する。
【００３１】
この場合例えば宅外の電話機から遠隔制御装置１が接続されている電話回線２に対応した電話番号に対してユーザーがダイヤル発呼すると、遠隔制御装置１では、付設する回線インターフェース部３の回線受信部３ａのリング検出回路で検出される呼出回数が予め定めた回数に達して回線インターフェース部３でオフフックされるか若しくは並列接続されている宅内の留守番用電話機がオフフックされる。そして発呼側の電話機との間で通話路が確立されると、ユーザーは宅外からの電話機のプッシュ釦を用いて暗証番号を入力し、暗証番号に対応するＰＢ信号列を遠隔制御装置１へ送信させる。
【００３２】
このＰＢ信号列は電話回線２を介して回線インターフェース部３に入り、更に遠隔制御装置１に取り込まれることになる。そして遠隔制御装置１内の音声周波数解析／信号生成部１０で解析され、解析された数字列が示す番号と、予め設定され記憶部１３に格納保存されている暗証番号と同値と制御部１４が判断すると、制御部１４の制御の下で、音声合成出力部１１から音声ガイダンスの音声合成信号を電話回線２上に送出し、音声ガイダンスを開始する。
【００３３】
ユーザーはこの音声ガイダンスに基づいて予め設定された宅内機器４を制御するための制御コード（情報）をＰＢ信号で入力する。
【００３４】
この制御コードに対応するＰＢ信号列は電話機から送出されて電話回線２と回線インターフェース部３とを通じて遠隔制御装置１に取り込まれ、音声周波数解析／信号生成部１０で解析され、コードに変換される。制御部１４はこのコードに対応する制御信号を生成して制御信号送信部１５から無線信号で送信させる。宅内機器４はこの無線信号を受信して無線信号により送られてきた制御信号に基づいた動作を行う。
【００３５】
以上の動作は外部から宅内機器４を遠隔制御する場合であったが、次に本実施形態が備えている外部通報機能について次に説明する。
【００３６】
この外部通報機能を使用するに当たっては、ユーザーが外出する際に操作部１６を用いて遠隔制御装置１の動作モードを留守番モードに設定する。
【００３７】
そして制御部１４は、留守モードに動作モードが設定されると、特定の検知アルゴリズムで制御を開始して、検知部１２の検知信号を監視する。そして、検知部１２から人を検知した検知信号が入力すると、予め初期設定時に設定した連絡先の電話番号に対応してダイヤル発呼を行う。この場合電話回線２の種類により音声周波数解析／信号生成部１０から出力されるＰＢ信号を用いるか、回線を断続させて発生させるダイヤルパルスを用いる。
【００３８】
そして連絡先の電話機がオフフックされて通話路が確立されると、制御部１４の制御の下で、音声合成出力部１１から所定の検知部１２の検知に対応した通報内容の音声合成信号を出力させ、通話路を介して連絡先の電話機に送出するのである。この一連の動作が外部通報機能の動作となる。
【００３９】
ところで遠隔制御装置１を動作させるに当たり、予め暗証番号や、連絡先の電話番号などを予め設定する初期設定が必要となる。次にこの初期設定について説明する。
【００４０】
まず初期設定に当たり、ユーザーは遠隔制御装置１に付設される回線インターフェース部３に宅内の電話機を接続し、この宅内の電話機からユーザーは電話回線２の電話番号に対してダイヤル発呼する。このダイヤル発呼によって宅内の電話機には交換局を通じて話中音が聞こえることになる。
【００４１】
そこでユーザーは遠隔制御装置１に搭載されている操作部１６の初期設定用のスイッチを操作すると、回線インターフェース部３を通じて遠隔制御装置１の制御部１４は話中音を検出して、動作モードを初期設定モードヘ移行する。尚スイッチ操作だけ、或いは話中音だけで動作モードを移行するようにしても良い。
【００４２】
そして遠隔制御装置１では制御部１４の制御の下で音声合成出力部１１から例えば、「暗証番号を設定してください」という音声合成信号を出力させて回線インターフェース部３から電話回線２上へ送出する。これにより、ユーザーに対して初期設定のガイダンスが行われることになる。
【００４３】
ユーザーは宅内の電話機でこのガイダンスを聞き、ガイダンスに従って電話機のプッシュ釦を使いながら設定したい暗証番号を入力する。この入力操作によりＰＢ信号列が電話回線２を介して遠隔制御装置１へ送られる。
【００４４】
遠隔制御装置１では、予め設定した桁数のＰＢ信号の受信を認識したら、音声合成出力部１１を制御して、例えば「９９９９  設定しました」「連絡先の電話番号を設定してください」等のガイダンス用の音声合成信号を出力させ、回線インターフェース部３を通じて電話回線２上に送出する。
【００４５】
ユーザーは宅内の電話機でこのガイダンスを従って、暗証番号の入力時と同様に、電話機のプッシュ釦を使いながら設定したい連絡先の電話番号を入力する。この入力操作によりＰＢ信号列が電話回線２を介して遠隔制御装置１へ送られる。
【００４６】
遠隔制御装置１では、予め設定している桁数のＰＢ信号の受信を認識したら、音声合成出力部１１を制御して、例えば「０１２３４５６７８９設定しました」「終了します」等のガイダンス用の音声合成信号を出力させ、回線インターフェース部３を通じて電話回線２上に送出し、この送出後遠隔制御装置１では制御部１４の制御の下で回線インターフェース部３がオンフックを行うとともに、動作モードを通常モードに戻す。また同時に設定した暗証番号、連絡先の電話番号を記憶部１３に設定データとして格納保存する。
【００４７】
また初期設定の動作モードへの移行は、操作部１９に設けた初期設定用のスイッチの操作入力後に話中音を検出することで行っているが、話中音を検出した後、一定時間以内に初期設定用のスイッチの操作入力があれば初期設定の動作モードヘ移行することとしても良い。
【００４８】
暗証番号、電話番号など入力した後、数字以外の「＃」「＊」に対応するプッシュ釦を操作することで、これらに対応するＰＢ信号を遠隔制御装置１へ送り、入力が終了したことを遠隔制御装置１に知らせるようにしても良い。また、連絡先の電話番号も一定桁以上、一定桁以下にすることで、例えば、３桁の電話番号は設定できないようにしても良い。暗証番号、電話番号などを入力する際にガイダンス終了からタイマカウントを行い、カウント中に入力が終了しない場合は、自動的にオンフックし、通常モードヘ戻るようにしても良いし、また、ＰＢ信号の入力とともにタイマカウントを行い、次の入力がない場合、桁数が満たない場合も同様に自動的にオンフックし、通常モードヘ戻るようにしても良い。
【００４９】
更に連絡先の電話番号の登録は、１つだけでなく、複数設定できるようにしても良い。また、同じ電話番号を入力した場合は、同値と判断し、一方の番号を削除しても良い。
【００５０】
本実施形態では、上述したように宅内の電話機を接続し、宅内の電話機から暗証番号、連絡先の電話番号を初期設定することができるため、例えば、テンキーなどのスイッチを遠隔制御装置１の操作部１６に設ける必要がないため、遠隔制御装置１のスイッチ数を少なくすることができて小型化が可能となる上に、スイッチのコストがかからない。
【００５１】
更に初期設定は、文字通り最初に設定を行ってしまえば、むやみに設定内容を変更することがないので、遠隔制御装置１以外から設定操作できることはとても有効なことである。また、暗証番号や、電話番号の設定を音声によりガイダンスすることで、ユーザーは正確に設定できたことを認識することができ、利便性の向上となる。
【００５２】
（実施形態２）
上記実施形態１では、遠隔制御装置１と同じ電話回線２に接続した宅内の電話機を使用して初期設定を行うようにしているが、本実施形態では、外部の電話機から設定を行う点に特徴がある。尚ハードウェア構成は実施形態１と同じであるので図１を参照する。
【００５３】
而して本実施形態では、遠隔制御装置１が接続されている電話回線２に接続されていない、別の回線（移動体通信網を含む）に接続されている電話機を使用して上記電話回線２の電話番号へダイヤル発呼する。
【００５４】
そして遠隔制御装置１に付設している回線インターフェース部３のリング検出回路が検出する呼出信号の検出回数が予め設定している数に達してオフフックするか、或いは電話回線２に並列接続されている宅内の留守番電話機がオフフックして発呼側と遠隔制御装置１との間で通話路が確立すると、ユーザーは発呼に用いた電話機のプッシュ釦を用いて予め設定された識別番号をＰＢ信号で入力する。
【００５５】
このＰＢ信号列は電話回線２と回線インターフェース部３を介して遠隔制御装置１に受け取られて音声周波数解析／信号生成部１０によりＰＢ信号の解析が行われ、解析結果が示す数字列からなる番号と遠隔制御装置１が予め所有している識別番号とを制御部１４により比較する。そして送られてきた番号と、予め所有している識別番号とが一致すれば、制御部１４の制御の下で、初期設定の動作モードヘ移行し、上述した実施形態１の場合と同様に「暗証番号を入力してください」という音声合成信号を発呼側の電話機へ通話路を介して送信し、ガイダンスを開始する。
【００５６】
以降、実施形態１と同様な手順で暗証番号と、連絡先の電話番号の設定を行えることになる。
【００５７】
本実施形態では、携帯電話機の普及が著しいこともあって、自宅の電話番号に電話をかけることが容易となっていることに着目し、携帯電話機（勿論他の回線の電話機を利用しても良い）を利用して遠隔制御のような方法により、遠隔制御装置１を初期設定の動作モードヘ移行させるもので、実施形態１のように話中検出を行ったり、初期設定用のスイッチの入力検出をしたりといった特別な処理が不要となり、また、スイッチを削除することができるため、更にコストのダウンが可能であるという特徴がある。
【００５８】
（実施形態３）
本実施形態では、特定のＷｅｂページ上にてユーザーが暗証番号、連絡先の電話番号を設定、入力できるものとし、遠隔制御装置１では、図２に示すようにＬＡＮ用の通信部１８を設ける。そして特定のＷｅｂページを提供するＷｅｂサーバー機能を例えば制御部１４に持たせるとともに、記憶部１３に記憶させている特定のＷｅｂページファイルを持たせておき、ＬＡＮ上のＷｅｂブラウザを搭載したパーソナルコンピュータなどのＷｅｂ端末装置から特定のＷｅｂページのＵＲＬをアクセスすると、それに呼応して特定のＷｅｂページのデータをＷｅｂ端末装置へ送りＷｅｂブラウザ上で表示させる。このＷｅｂページ上からユーザーが識別番号を入力し、その照合によって初期設定の画面へログインすることを可能とし、この初期設定の画面にてユーザーが上述の暗証番号、連絡先の電話番号の入力を行う。この入力されたデータは、ＬＡＮを通じて転送されて通信部１８から遠隔制御装置１に取り込まれ、制御部１４の制御の下で記憶部１３に登録される。
【００５９】
以上のように本実施形態では、初期設定がＬＡＮを通じて行えなえるようにしている。尚Ｗｅｂサーバーをネットワーク上に設置し、Ｗｅｂサーバーを通じて端末装置と遠隔制御装置１との間のデータの授受をＷｅｂサーバーを介して行うようにすることで、入力データを遠隔制御装置１へ転送するようにしても良い。
【００６０】
実施形態１、２のような方法で暗証番号や連絡先の電話番号の設定を行う場合は、設定した者しかわからない。この場合ユーザーが一人であれば特に問題ないが、複数で使用する場合には不都合が生じる。そこで、上記のようなＷｅｂページを用いる方法であれば、現在どのような設定が行われているかをＷｅｂページ上で確認することが可能であり、また設定した値を視覚で確認できるので設定入力の誤りを少なくすることが可能である。
【００６１】
また、遠隔制御装置１に設ける通信部１８としてＲＳ−２３２Ｃ、ＲＳ−４８５などの汎用のシリアル通信部を設け、シリアルケーブルにてパーソナルコンピュータ等との間でデータ通信させるものであっても良い。或いは図３に示すように記憶媒体入力部１９を設け、ＦＤやメモリカードの記憶媒体よりデータ入力させるものであっても良い。この場合予めパーソナルコンピュータ等を利用して設定内容を記憶媒体に書き込む処理を行う。
【００６２】
【発明の効果】
請求項１の発明は、電話回線を通じて外部との通信を行うための回線インターフェース部と、周囲の事象を検知する検知部と、宅内に設置されている機器へ制御信号を送信する制御信号送信部と、外部との通信により外部から機器の制御情報を受け取って制御信号送信部から制御信号を送信させる機能、検知部の検知内容に基づいて検知情報を外部へ回線インターフェース部を介して送らせる機能を有する制御部とを備えている遠隔制御装置を設けるとともに、遠隔制御装置とは別体の機器で構成され、遠隔制御装置の動作に必要な初期設定のデータを作る設定手段を遠隔制御装置とは別体の機器により構成しているので、遠隔制御装置側に初期設定のデータを入力するためのスイッチを設ける必要がなく、そのため遠隔制御装置にデータを入力するスイッチを設ける場合のように装置の小型化からの制約が無くなり、ユーザーの利便性を向上するための工夫をすることが可能となり、またデータ入力のためのスイッチを遠隔制御装置側に設けなくて済むため、装置の小型化も容易に行える。
【００６３】
請求項２の発明は、請求項１の発明において、遠隔制御装置の制御部には、電話回線を通じて外部から送られてくる制御情報に基づいて宅内に設けた機器の制御や状態確認を行う遠隔監視制御機能と、上記検知部の検知内容の判断を行い、上記回線インターフェース部を通じて予め設定された連絡先へ上記検知内容を通報する連絡通報機能とを備えているので、電話回線を利用して機器の制御と、装置付近で起きる事象の検知内容をユーザーの外出先等に自動的に通報することができるシステムを実現できる。
【００６４】
請求項３の発明は、請求項１の発明において、初期設定における設定項目が、外部からの通信を受信したときに遠隔制御装置を始動させることを判断させる暗証番号、上記検知部の検知内容を回線インターフェース部から通報を行う際の連絡先であるので、システムとして最少必要なデータが初期設定できる。
【００６５】
請求項４の発明は、請求項１の発明において、上記設定手段として、上記電話回線に回線インターフェース部と並列接続される電話機を使用し、該電話機から上記電話回線に対応する電話番号に発呼により設定される話中状態下で、上記電話機の操作釦の操作によって該電話機から電話回線上に送出されるＤＴＭＦ信号を設定データの信号として上記回線インターフェース部を介して上記遠隔制御装置に取り込ませるので、自宅の電話機を初期設定の設定手段として使用することができる。
【００６６】
請求項５の発明は、請求項１の発明において、上記設定手段として、上記電話回線に対応する電話番号とは別の電話番号の電話機を使用し、該電話機から上記電話回線に対応する電話番号に発呼することで当該電話機と上記電話回線を介して回線インターフェス部との間で通話路を確立させた後、上記電話機の操作釦の操作によって該電話機から通話路上に送出されるＤＴＭＦ信号を設定データの信号として上記通話路と上記回線インターフェース部を介して遠隔制御装置へ送出するので、遠隔制御装置が接続される電話回線以外の回線に接続される携帯電話機等の電話機を初期設定の設定手段として使用することができる。
【００６７】
請求項６の発明は、請求項１乃至５の発明において、上記遠隔制御装置が所定の入力を検出すると上記設定手段による初期設定を行う動作モードに移行するので、遠隔制御装置の動作モードを初期設定のモードに自動的に移行させることができる。
【００６８】
請求項７の発明は、請求項６の発明において、上記所定の入力とは、遠隔制御装置に搭載された特定のスイッチの入力操作若しくは、上記電話回線の話中音の検出、若しくはその両方であるので、モード切り替えが容易に行える。
【００６９】
請求項８の発明は、請求項６の発明において、上記所定の入力とは、外部より電話回線を通じて、上記遠隔制御装置に予め記憶された識別番号と同じ番号を示すＤＴＭＦ信号が取り込まれるので、初期設定を行える者を許可された者とすることができ、そのため高い安全性を確保することができる。
【００７０】
請求項９の発明は、請求項６の発明において、設定データの入力が所定時間経過後なければ通常の動作モードに移行するので、モード切り替えなどの操作をユーザーが行わなくても自動的にモード切り替えができ、そのため初期設定の動作モードが不必要に継続されない。
【００７１】
請求項１０の発明は、請求項１の発明において、ネットワークに接続される通信部を上記遠隔監視制御装置に備え、上記設定手段として上記ネットワークに接続され、ブラウザ上に表示する初期設定用のＷｅｂページを通じて設定データを入力する端末装置を用い、上記Ｗｅｂページで入力された設定データを上記遠隔制御装置へ上記ネットワークと上記通信部とを介して転送されるので、Ｗｅｂページ上で初期設定のデータ入力ができるため、視覚でデータの確認ができるため、データ入力が容易な上に、誤入力を減らすことができ、利便性がより向上する。
【００７２】
請求項１１の発明は、請求項１の発明において、上記遠隔制御装置にシリアル通信部を搭載し、上記設定手段として、シリアル通信部に接続され、該シリアル通信部を介して上記遠隔制御装置へ設定データを送る端末装置で構成してので、パーソナルコンピュータ等を端末装置として用いることができ、ユーザーの利便性を向上させることができる。
【００７３】
請求項１２の発明は、請求項１の発明において、記憶媒体に書き込まれたデータを読み取る記憶媒体入力部を上記遠隔制御装置に搭載し、上記設定手段として、上記記憶媒体入力部に対応する記憶媒体及び該記憶媒体に設定データを書き込む端末装置を用い、前記記憶媒体に書き込んだ設定データを上記記憶媒体入力部から上記遠隔制御装置に取り込ませるので、端末装置で記憶媒体に設定データを予め書き込むため、端末装置で内容確認や修正等を行うことができ、そのため誤設定を無くすこともできる。
【図面の簡単な説明】
【図１】本発明の実施形態１の構成図である。
【図２】本発明の実施形態２の構成図である。
【図３】同上の別の例の構成図である。
【符号の説明】
１  遠隔制御装置
２  電話回線
３  回線インターフェース部
３ａ  回線受信部
３ｂ  回線送信部
４  宅内機器
１０  音声周波数解析／信号生成部
１１  音声合成出力部
１２  検知部
１３  記憶部
１４  制御部
１５  制御信号送信部
１６  操作部
１７  表示部
ＳＰ  スピーカ
【図１】
2004266679.tif 000003
【図２】
2004266679.tif 000004
【図３】
2004266679.tif 000005